(57)【要約】      （修正有）【課題】ガーゼ又は不織布を用いた一般用途マスクを利用した高機能を有するフィルター付きマスクを提供する。【解決手段】フィルター付きマスク１は、固定部２を有するマスク部と、ナノファイバー複合不織布を含み、マスク部と重畳するフィルター部と、マスク部とフィルター部とを接続する接続部と、フィルター部の外周より小さく、フィルター部のマスク部とは反対側の面に配置される環状の接着部１３と、を含む。【選択図】図１
0003227223.tif 000002
【実用新案登録請求の範囲】
【請求項１】
固定部を有するマスク部と、
ナノファイバー複合不織布を含み、前記マスク部と重畳するフィルター部と、
前記マスク部と前記フィルター部とを接続する接続部と、
前記フィルター部の外周より小さく、前記フィルター部の前記マスク部とは反対側の面に配置される環状の接着部と、
を含むフィルター付きマスク。
【請求項２】
前記接続部は、前記フィルター部の長辺両端に配置される、請求項１に記載のフィルター付きマスク。
【請求項３】
前記接続部は、前記フィルター部の外周に連続して配置される、請求項１に記載のフィルター付きマスク。
【請求項４】
マスク部と、
ナノファイバー複合不織布を含み、前記マスク部と重畳するフィルター部と、
前記フィルター部の外周に連続して配置され、前記マスク部と前記フィルター部とを接続する接続部と、
前記フィルター部の外周より小さく、前記マスク部の前記フィルター部とは反対側の面に配置される環状の接着部と、
を含むフィルター付きマスク。
【請求項５】
前記フィルター部は前記マスク部より小さい、請求項１乃至４の何れか１項に記載のフィルター付きマスク。
【請求項６】
前記フィルター部は、
前記フィルター部の中心を含み短辺方向に延在し、前記面が凹となる第１の折り目と、
前記第１の折り目と直交し、前記面が凹となる第２の折り目と、
を有する請求項１乃至５の何れか１項に記載のフィルター付きマスク。
【請求項７】
前記フィルター部は、前記第１の折り目に第１のプリーツをさらに有する請求項６に記載のフィルター付きマスク。
【請求項８】
前記フィルター部は、前記第２の折り目に第２のプリーツをさらに有する請求項６または７に記載のフィルター付きマスク。
【請求項９】
前記フィルター部は、前記第１の折り目と前記第２の折り目との間に複数の第３の折り目をさらに有する請求項６乃至８の何れか１項に記載のフィルター付きマスク。
【考案の詳細な説明】
【技術分野】
【０００１】
本考案は、フィルター付きマスクに関する。特に、ウイルスの移動を適切に遮断することの可能なフィルター付きマスクに関する。
【背景技術】
【０００２】
令和２年（２０２０年）初頭以降、世界各地で新型コロナウイルス（ＳＡＲＳ−ＣｏＶ−２）による感染症（ＣＯＶＩＤ−１９）の罹患者が増加している。新型コロナウイルスに感染すると、発熱や呼吸器症状が１週間前後持続することが多く、強いだるさ（倦怠感）を訴える人が多いことが報告されている。罹患しても約８割は軽症で経過し、治癒する例も多いことが報告されているが、他方で、季節性インフルエンザと比べて死亡リスクが高いことが報告されている。しかしながら、現時点では、有効性が確認された特異的な抗ウイルス薬やワクチンは存在せず、治療方法としては対症療法が中心である。
【０００３】
新型コロナウイルス感染症の感染経路の中心は飛沫感染及び接触感染であるが、閉鎖空間において近距離で多くの人と会話する等の一定の環境下であれば、咳やくしゃみ等の症状がなくても感染を拡大させるリスクがあるとされている。集団感染が生じた場の共通点を踏まえると、特に（１）密閉空間（換気の悪い密閉空間である）、（２）密集場所（多くの人が密集している）、（３）密接場面（互いに手を伸ばしたら届く距離での会話や発声が行われる）という３つの条件が同時に重なる場では、感染を拡大させるリスクが高いと考えられている。
【０００４】
新型コロナウイルスは、患者が咳やくしゃみをした時のしぶきに含まれるウイルスを周囲の人が吸い込むなどにより、体内に取り込むことで感染が広がっていく。そこで、感染の広がりを予防する方法として、ウイルスの移動経路を遮断することが必要である。
【０００５】
ウイルスの移動経路を遮断する方法としてガーゼ又は不織布を用いたマスクが、一般用途及び医療用途ともに用いられてきた。マスクは、装着者がウイルスを取り込まないこと及び装着者がウイルスを撒き散らさないことの２点で効果が期待されてきた。
【０００６】
医療用途のマスクとしては、Ｎ９５規格をクリアした微粒子用マスクが好ましい。Ｎ９５規格とは、アメリカ合衆国ＮＩＯＳＨ（Ｎａｔｉｏｎａｌ  Ｉｎｓｔｉｔｕｔｅ  ｏｆ  Ｏｃｃｕｐａｔｉｏｎａｌ  Ｓａｆｅｔｙ  ａｎｄ  Ｈｅａｌｔｈ）が定めた規格であり、空力学的質量径で約０．３μｍの試験粒子を９５％以上捕集できることを示している。しかしながら、２０２０年４月に入ってからは医療用のＮ９５マスクも不足が深刻化している。
【０００７】
さらに、Ｎ９５マスクの使用にあたっては、正しい装着を実施するために、息の漏れが無いかを確認するシールチェックをマスク着用の度に行う必要がある。装着後のマスクと顔との密着性を確保することで、はじめてフィルター自体の性能を発揮することができる。一方で、Ｎ９５マスクは顔面表面を圧迫し装着者に不快感を与えるとともに、吸気抵抗が大きく息苦しいという問題がある。
【０００８】
特許文献１には、外鼻の外周縁と鼻孔に密接して花粉などの粉塵が吸入されない鼻保護体と該鼻保護体を用いた鼻マスクが開示されている。
【先行技術文献】
【特許文献】
【０００９】
【特許文献１】実用新案登録第３１１０７５２号公報
【考案の概要】
【考案が解決しようとする課題】
【００１０】
本考案は、ガーゼ又は不織布を用いた一般用途マスクを利用した高機能を有するフィルター付きマスクを提供することを課題の一つとする。
【課題を解決するための手段】
【００１１】
本考案の一実施形態に係るフィルター付きマスクは、固定部を有するマスク部と、ナノファイバー複合不織布を含み、マスク部と重畳するフィルター部と、マスク部とフィルター部とを接続する接続部と、フィルター部の外周より小さく、フィルター部のマスク部とは反対側の面に配置される環状の接着部と、を含む。
【００１２】
接続部は、フィルター部の長辺両端に配置されることが望ましい。
【００１３】
接続部は、フィルター部の外周に連続して配置されることが望ましい。
【００１４】
本考案の一実施形態に係るフィルター付きマスクは、マスク部と、ナノファイバー複合不織布を含み、マスク部と重畳するフィルター部と、フィルター部の外周に連続して配置され、マスク部とフィルター部とを接続する接続部と、フィルター部の外周より小さく、マスク部のフィルター部とは反対側の面に配置される環状の接着部と、を含む。
【００１５】
フィルター部はマスク部より小さいことが望ましい。
【００１６】
フィルター部は、フィルター部の中心を含み短辺方向に延在し、面が凹となる第１の折り目と、第１の折り目と直交し、面が凹となる第２の折り目と、を有することが望ましい。
【００１７】
フィルター部は、第１の折り目に第１のプリーツをさらに有することが望ましい。
【００１８】
フィルター部は、第２の折り目に第２のプリーツをさらに有することが望ましい。
【００１９】
フィルター部は、第１の折り目と第２の折り目との間に複数の第３の折り目をさらに有することが望ましい。
【考案の効果】
【００２０】
本考案の一実施形態によれば、ガーゼ又は不織布を用いた一般用途マスクを利用した高機能を有するフィルター付きマスクを提供することができる。
【図面の簡単な説明】
【００２１】
【図１】一実施形態に係るフィルター付きマスクの構成を示す図の一例である。
【図２】一実施形態に係るフィルターの接続面の構成を示す図の一例である。
【図３】一実施形態に係るフィルター付きマスクの構成を示す図の一例である。
【図４】一実施形態に係るフィルターの接続面の構成を示す図の一例である。
【図５】一変形例に係るフィルターの接続面の構成を示す図の一例である。
【図６】一変形例に係るフィルターの接続面の構成を示す図の一例である。
【図７】一変形例に係るフィルターの接続面の構成を示す図の一例である。
【図８】一変形例に係るフィルターの接続面の構成を示す図の一例である。
【図９】一実施形態に係るフィルター付きマスクの構成を示す図の一例である。
【図１０】一実施形態に係るフィルターの接続面の構成を示す図の一例である。
【考案を実施するための形態】
【００２２】
以下、本考案の一実施形態について、図面を参照しつつ説明する。但し、本考案は、その要旨を逸脱しない範囲において様々な態様で実施することができ、以下に例示する実施形態の記載内容に限定して解釈されるものではない。図面は、説明をより明確にするため、実際の態様に比べ、各部の幅、厚さ、形状、寸法比率等について模式的に表される場合があるが、あくまで一例であって、本考案の解釈を限定するものではない。本明細書と各図面において、既出の図面に関して説明したものと同様の機能を備えた要素には、同一の符号を付して、重複する説明を省略することがある。
【００２３】
＜第１実施形態＞
図１は、第１実施形態に係るフィルター付きマスクの構成を示す図の一例である。図１（ａ）は、本実施形態に係るフィルター付きマスク１００の表面を示す図である。図１（ｂ）は、本実施形態に係るフィルター付きマスク１００の裏面を示す図である。図２は、本実施形態に係るフィルターの接続面の構成を示す図の一例である。図１および図２に示すように、フィルター付きマスク１００は、マスク１、フィルター１０、接着部１３および接続部１７を含む。
【００２４】
マスク１は、マスク本体の長辺両端に配置される固定部２を含む。本実施形態において、固定部２は装着者の耳にかけることによってマスク本体を装着者の顔面に固定するゴム紐である。しかしながらこれに限定されず、固定部２はマスク本体を装着者の顔面に固定できればよい。固定部２は、例えば、装着者の後頭部にかけてもよい。固定部２は、別体であってもよく、一体であってもよい。固定部２は、伸縮可能な部材が好ましい。本実施形態においてマスク１は、不織布タイプで、マスク本体の長辺に延在するプリーツ３を有する。マスク１は、プリーツ３を有することで装着者の顔前面にフィットして圧迫感を与えにくい。しかしながらこれに限定されず、本実施形態においてマスク１は如何なる一般用途マスクを用いることができ、ガーゼ製であってもよく、布製であってもよい。また、立体型であってもよく、平型であってもよい。
【００２５】
マスク１の裏面（装着者に対向する面）には、フィルター１０がマスク１に重畳するように配置される。フィルター１０はマスク１より一回り小さい矩形である。しかしながらこれに限定されず、フィルター１０はマスク１と同じ大きさであってもよく、フィルター１０はマスク１より大きくてもよい。フィルター１０の形状も特に限定されず、より装着者の顔面に密着させやすい形状が好ましい。本実施形態においてフィルター１０はマスク１の裏面に配置したが、フィルター１０はマスク１の表面に配置してもよく、マスク１が複数層で構成される場合、その層間に配置してもよい。
【００２６】
フィルター１０は、第１の折り目１２と第２の折り目１１を有する。第１の折り目１２は、フィルター１０の中心を含み短辺方向に延在し、フィルター１０のマスク１とは反対側の面が凹となるように配置される。第２の折り目１１は、第１の折り目１２と直交し、長辺方向に延在し、フィルター１０のマスク１とは反対側の面が凹となるように配置される。フィルター１０は、第１の折り目１２と第２の折り目１１を有することで、凹部に装着者の鼻と口を収納するスペースを確保することができる。しかしながらこれに限定されず、第１の折り目１２と第２の折り目１１とはなくてもよく、どちらか一方のみであってもよい。
【００２７】
本実施形態においてフィルター１０は、一枚の不織布で示した。しかしながらこれに限定されず、フィルター１０は、複数枚の不織布を接続して形成してもよく、複数枚の不織布を重ねて形成してもよい。フィルター１０は、接着部１３の内側で連続して装着者の鼻と口を覆えればよい。
【００２８】
フィルター１０はナノファイバー複合不織布を含む。しかしながらこれに限定されず、フィルター１０はＮ９５規格をクリアした空力学的質量径で約０．３μｍの試験粒子を９５％以上捕集できる機能を有すればよい。フィルター１０は、例えば、メルトブロー法によって製造されてもよく、エレクトロスピニング法によって製造されてもよい。ナノファイバー複合不織布に含まれるナノファイバーとしては、１ｎｍ以上１０００ｎｍ未満の直径であって、長さが直径の１００倍以上の繊維状物質であってもよい。ナノファイバー複合不織布が有する孔は、例えば、上述の試験粒子よりも大きくてもよい。この場合、ナノファイバー複合不織布が有する孔は、微粒子が通過する際に静電気が生じ、静電気の電荷により微粒子が捕獲されるように高い表面電荷を有していてもよい。
【００２９】
フィルター１０のマスク１とは反対側の面（装着者に対向する面）には接着部１３が配置される。接着部１３は、フィルター１０と装着者の顔面とを接着する。接着部１３は、マスク１の外周より小さく、フィルター１０の外周より小さい。接着部１３は、装着者の鼻と口を囲うように環状に配置される。接着部１３は、フィルター１０の中心を囲うように配置される。接着部１３がこのように配置されることで、装着者の顔の動きによるフィルター１０への影響を抑制し、空気が漏れないようにフィルター１０を装着者の顔面に密着させることができる。接着部１３の形状は特に限定されず、連続して装着者の鼻と口を囲えればよく、より装着者の顔面に密着させやすい形状が好ましい。
【００３０】
接着部１３は、装着者の顔面へ着脱自在に取付可能な接着剤や両面テープ等を含む。接着部１３は、直接、装着者の顔面に接着することから、皮膚刺激の少ない医療用途のものが好ましい。しかしながらこれに限定されず、接着部１３は、フィルター１０を顔面に密着させることができればよい。
【００３１】
図２は、本実施形態に係るフィルター付きマスク１００からフィルター１０を剥した、フィルター１０のマスク１との接続面の構成を示す。フィルター１０のマスク１側の面（マスク１に対向する面）には接続部１７が配置される。接続部１７は、フィルター１０とマスク１とを接続する。接続部１７は、マスク１の外周より小さく、フィルター１０の外周より小さい。本実施形態において接続部１７は、接着部１３より大きい。接続部１７がこのように配置されることで、フィルター１０を安定してマスク１に接続することができる。
【００３２】
接続部１７は、マスク１へ着脱自在に取付可能な接着剤や両面テープ等を含む。接続部１７がマスク１へ着脱自在に取付可能であることで、マスク１を再利用することができる。
【００３３】
本実施形態に係るフィルター付きマスク１００は、このような構成を有することで、一般用途マスクを利用してＮ９５規格の高機能を有するフィルター付きマスクを提供することができる。接着部１３がフィルター１０を装着者の顔面に固定させることから、圧迫感なく容易にフィルター１０を装着者の顔面に密着させることができる。
【００３４】
＜第２実施形態＞
図３は、第２実施形態に係るフィルター付きマスクの構成を示す図の一例である。図３（ａ）は、本実施形態に係るフィルター付きマスク２００の表面を示す図である。図３（ｂ）は、本実施形態に係るフィルター付きマスク２００の裏面を示す図である。図４は、本実施形態に係るフィルターの接続面の構成を示す図の一例である。図３および図４に示すように、フィルター付きマスク２００は、マスク１、フィルター２０、接着部２３および接続部２７を含む。第２実施形態に係るフィルター付きマスク２００はフィルター２０および接続部２７の形状が異なること以外、第１実施形態に係るフィルター付きマスク１００と同様であることから、繰り返しの説明は省略する。
【００３５】
マスク１の裏面（装着者に対向する面）には、フィルター２０がマスク１に重畳するように配置される。フィルター２０はマスク１より小さい楕円形である。しかしながらこれに限定されず、フィルター２０はマスク１と同じ大きさであってもよく、フィルター２０はマスク１より大きくてもよい。フィルター２０の形状も特に限定されず、より装着者の顔面に密着させやすい形状が好ましい。本実施形態においてフィルター２０はマスク１の裏面に配置したが、フィルター２０はマスク１の表面に配置してもよく、マスク１が複数層で構成される場合、その層間に配置してもよい。
【００３６】
フィルター２０は、装着者の鼻と口を覆うように楕円形に配置される。フィルター２０は、第１の折り目２２と第２の折り目２１を有する。第１の折り目２２は、フィルター２０の中心を含み短辺方向に延在し、フィルター２０のマスク１とは反対側の面が凹となるように配置される。第２の折り目２１は、第１の折り目２２と直交し、長辺方向に延在し、フィルター２０のマスク１とは反対側の面が凹となるように配置される。フィルター２０は、第１の折り目２２と第２の折り目２１を有することで、凹部に装着者の鼻と口を収納するスペースを確保することができる。しかしながらこれに限定されず、第１の折り目２２と第２の折り目２１とはなくてもよく、どちらか一方のみであってもよい。
【００３７】
フィルター２０のマスク１とは反対側の面（装着者に対向する面）には接着部２３が配置される。接着部２３は、フィルター２０と装着者の顔面とを接着する。接着部２３は、マスク１の外周より小さく、フィルター２０の外周より小さい。接着部２３は、装着者の鼻と口を囲うように環状に配置される。接着部２３は、フィルター２０の中心を囲うように配置される。接着部２３がこのように配置されることで、装着者の顔の動きによるフィルター２０への影響を抑制し、フィルター２０を装着者の顔面に密着させることができる。接着部２３の形状は特に限定されず、連続して装着者の鼻と口を囲えればよく、より装着者の顔面に密着させやすい形状が好ましい。
【００３８】
図４は、本実施形態に係るフィルター付きマスク２００からフィルター２０を剥した、フィルター２０のマスク１との接続面の構成を示す。フィルター２０のマスク１側の面（マスク１に対向する面）には接続部２７が配置される。接続部２７は、フィルター２０とマスク１とを接続する。接続部２７は、マスク１の外周より小さく、フィルター２０の外周より小さい。本実施形態において接続部２７は、フィルター２０の外周内側に連続して配置される。接続部２７は、接着部２３と同じ大きさであり、重畳するように配置される。接続部２７がこのように配置されることで、フィルター２０をより安定してマスク１に接続することができる。
【００３９】
本実施形態に係るフィルター付きマスク２００は、このような構成を有することで、一般用途マスクを利用してＮ９５規格の高機能を有するフィルター付きマスクを提供する上で、さらにフィルター２０を節約することができる。接着部２３がフィルター２０を装着者の顔面に固定させることから、圧迫感なく容易にフィルター２０を装着者の顔面に密着させることができる。
【００４０】
＜変形例１＞
図５は、一変形例に係るフィルターの接続面の構成を示す図の一例である。本変形例においてはフィルター３０および接続部３７の形状が異なること以外、第１実施形態に係るフィルター１０および接続部１７と同様であることから、繰り返しの説明は省略する。
【００４１】
フィルター３０はマスク１より小さい矩形である。フィルター３０は、第１の折り目３２と第２の折り目３１を有する。第１の折り目３２は、フィルター３０の中心を含み短辺方向に延在し、フィルター３０のマスク１とは反対側の面が凹となるように配置される。第２の折り目３１は、第１の折り目３２と直交し、長辺方向に延在し、フィルター３０のマスク１とは反対側の面が凹となるように配置される。本変形例において、第２の折り目３１はさらに第１のプリーツ３４を有する。本変形例においてフィルター３０は、第１のプリーツ３４をさらに有することで、立体的な凹部を形成することができ、装着者の鼻と口を収納するスペースを確保することができる。
【００４２】
フィルター３０のマスク１側の面（マスク１に対向する面）には接続部３７が配置される。接続部３７は、フィルター３０とマスク１とを接続する。接続部３７は、フィルター３０の長辺両端に配置される。本実施形態において、接続部３７は、フィルター３０の短辺に沿って線状に配置される。しかしながらこれに限定されず、接続部３７はフィルター３０の長辺両端のそれぞれに１点ずつ配置されてもよく、複数点ずつ配置されてもよい。本変形例において接続部３７がこのように配置されることで、第１のプリーツ３４を固定することができ、且つ簡便にフィルター３０をマスク１に接続することができる。
【００４３】
＜変形例２＞
図６は、一変形例に係るフィルターの接続面の構成を示す図の一例である。本変形例においてはフィルター４０の形状が異なること以外、第１変形例に係るフィルター３０および接続部３７と同様であることから、繰り返しの説明は省略する。
【００４４】
フィルター４０はマスク１より小さい矩形である。フィルター４０は、第１の折り目４２と第２の折り目４１を有する。第１の折り目４２は、フィルター４０の中心を含み短辺方向に延在し、フィルター４０のマスク１とは反対側の面が凹となるように配置される。第２の折り目４１は、第１の折り目４２と直交し、長辺方向に延在し、フィルター４０のマスク１とは反対側の面が凹となるように配置される。本変形例において、第２の折り目４１はさらに第１のプリーツ４４を有し、第１の折り目４２はさらに第２のプリーツ４５を有する。本変形例においてフィルター４０は、第１のプリーツ４４および第２のプリーツ４５をさらに有することで、より立体的な凹部を形成することができ、装着者の鼻と口を収納するスペースを確保することができる。
【００４５】
＜変形例３＞
図７は、一変形例に係るフィルターの接続面の構成を示す図の一例である。本変形例においては接続部５７の形状が異なること以外、第２変形例に係るフィルター４０と同様であることから、繰り返しの説明は省略する。
【００４６】
フィルター５０はマスク１より小さい矩形である。フィルター５０は、第１の折り目５２と第２の折り目５１を有する。第１の折り目５２は、フィルター５０の中心を含み短辺方向に延在し、フィルター５０のマスク１とは反対側の面が凹となるように配置される。第２の折り目５１は、第１の折り目５２と直交し、長辺方向に延在し、フィルター５０のマスク１とは反対側の面が凹となるように配置される。本変形例において、第２の折り目５１はさらに第１のプリーツ５４を有し、第１の折り目５２はさらに第２のプリーツ５５を有する。本変形例においてフィルター５０は、第１のプリーツ５４および第２のプリーツ５５をさらに有することで、より立体的な凹部を形成することができ、装着者の鼻と口を収納するスペースを確保することができる。
【００４７】
接続部５７は、フィルター５０とマスク１とを接続する。接続部５７は、マスク１の外周より小さく、フィルター５０の外周より小さい。本実施形態において接続部５７は、装着者の鼻と口を囲うように環状に配置される。接続部５７は接着部と同じ大きさであり、重畳するように配置される。接続部５７がこのように配置されることで、フィルター５０をより安定してマスク１に接続することができる。
【００４８】
＜変形例４＞
図８は、一変形例に係るフィルターの接続面の構成を示す図の一例である。本変形例においてはフィルター６０の形状が異なること以外、第３変形例に係るフィルター５０と同様であることから、繰り返しの説明は省略する。
【００４９】
フィルター６０はマスク１より小さい矩形である。フィルター６０は、第１の折り目６２と第２の折り目６１を有する。第１の折り目６２は、フィルター６０の中心を含み短辺方向に延在し、フィルター６０のマスク１とは反対側の面が凹となるように配置される。第２の折り目６１は、第１の折り目６２と直交し、長辺方向に延在し、フィルター６０のマスク１とは反対側の面が凹となるように配置される。本変形例においてフィルター６０は、第１の折り目６２と第２の折り目６１との間に複数の第３の折り目６６を有する。複数の第３の折り目６６は、フィルター６０のマスク１とは反対側の面が凸となってもよいし凹となってもよい。第１の折り目６２と第２の折り目６１と複数の第３の折り目６６とが交互に凹凸を繰り返すように配置されることが好ましい。本変形例においてフィルター６０は、複数の第３の折り目６６をさらに有することで、より立体的な凹部を形成することができ、装着者の鼻と口を収納するスペースを確保することができる。
【００５０】
＜第３実施形態＞
図９は、第３実施形態に係るフィルター付きマスクの構成を示す図の一例である。図９（ａ）は、本実施形態に係るフィルター付きマスク７００の表面を示す図である。図９（ｂ）は、本実施形態に係るフィルター付きマスク７００の裏面を示す図である。図１０は、本実施形態に係るフィルターの接続面の構成を示す図の一例である。図９および図１０に示すように、フィルター付きマスク７００は、マスク１、フィルター７０、接着部７３および接続部７７を含む。第３実施形態に係るフィルター付きマスク７００はフィルター７０の接続面が異なること以外、第１実施形態に係るフィルター付きマスク１００と同様であることから、繰り返しの説明は省略する。
【００５１】
マスク１の表面には、フィルター７０がマスク１に重畳するように配置される。フィルター７０はマスク１より小さい矩形である。しかしながらこれに限定されず、フィルター７０はマスク１と同じ大きさであってもよく、フィルター７０はマスク１より大きくてもよい。フィルター７０の形状も特に限定されず、よりマスクの形状に密着させやすい形状が好ましい。本実施形態においてフィルター７０はマスク１の表面に配置したが、フィルター７０はマスク１の裏面に配置してもよく、マスク１が複数層で構成される場合、その層間に配置してもよい。
【００５２】
フィルター７０は、第１の折り目７２と第２の折り目７１を有する。第１の折り目７２は、フィルター７０の中心を含み短辺方向に延在し、フィルター７０のマスク１側の面が凹となるように配置される。第２の折り目７１は、第１の折り目７２と直交し、長辺方向に延在し、フィルター７０のマスク１側の面が凹となるように配置される。第２の折り目７１はさらに第１のプリーツ７４を有し、第１の折り目７２はさらに第２のプリーツ７５を有する。フィルター７０は、第１のプリーツ７４と第２のプリーツ７５を有することで、凹部に装着者の鼻と口を収納するスペースを確保することができる。しかしながらこれに限定されず、第１のプリーツ７４と第２のプリーツ７５とはなくてもよく、どちらか一方のみであってもよい。
【００５３】
マスク１のフィルター７０とは反対側の面（装着者に対向する面）には接着部７３が配置される。接着部７３は、マスク１と装着者の顔面とを接着する。接着部７３は、フィルター７０の外周より小さく、マスク１の外周より小さい。接着部７３は、装着者の鼻と口を囲うように環状に配置される。接着部７３は、フィルター７０の中心を囲うように配置される。接着部７３がこのように配置されることで、装着者の顔の動きによるマスク１への影響を抑制し、マスク１を装着者の顔面に密着させることができる。接着部７３の形状は特に限定されず、連続して装着者の鼻と口を囲えればよく、より装着者の顔面に密着させやすい形状が好ましい。
【００５４】
図１０は、本実施形態に係るフィルター付きマスク７００からフィルター７０を剥した、フィルター７０のマスク１との接続面の構成を示す。フィルター７０のマスク１側の面（マスク１に対向する面）には接続部７７が配置される。接続部７７は、フィルター７０とマスク１とを接続する。接続部７７は、マスク１の外周より小さく、フィルター７０の外周より小さい。本実施形態において接続部７７は、フィルター７０の外周内側に連続して配置される。接続部７７は、接着部７３と同じ大きさであり、重畳するように配置される。接続部７７がこのように配置されることで、フィルター７０をより安定してマスク１に接続することができる。
【００５５】
本実施形態に係るフィルター付きマスク７００は、このような構成を有することで、一般用途マスクを利用してＮ９５規格の高機能を有するフィルター付きマスクを提供することができる。接着部７３がフィルター付きマスク７００を装着者の顔面に固定させることから、圧迫感なく容易にフィルター付きマスク７００を装着者の顔面に密着させることができる。
【００５６】
本発明は上記の実施形態および変形例に限られたものではなく、趣旨を逸脱しない範囲で適宜変更することが可能である。また、各実施形態および変形例は適宜組み合わせることが可能である。
【符号の説明】
【００５７】
１…マスク、２…固定部、３…プリーツ、１０、２０、３０、４０、５０、６０、７０…フィルター、１１、２１、３１、４１、５１、６１、７１…第２の折り目、１２、２２、３２、４２、５２、６２、７２…第１の折り目、１３、２３、３３、４３、５３、６３、７３…接着部、１７、２７、３７、４７、５７、６７、７７…接続部、１００、２００、７００…フィルター付きマスク
【図１】
0003227223.tif 000003
【図２】
0003227223.tif 000004
【図３】
0003227223.tif 000005
【図４】
0003227223.tif 000006
【図５】
0003227223.tif 000007
【図６】
0003227223.tif 000008
【図７】
0003227223.tif 000009
【図８】
0003227223.tif 000010
【図９】
0003227223.tif 000011
【図１０】
0003227223.tif 000012